(57)【要約】【課題】  ジャケットを使用しない構成の電動機において、一体加工を行うことなくロータの回転軸と軸受の軸芯を一致させること。【解決手段】  電動機１は、回転軸９を有するロータ４と、ロータ４の外周を所定距離離れて環状に覆うステータ５と、ステータ５の少なくとも軸方向端面を保護するハウジング３と、回転軸９を軸支する軸受２と、軸受２をハウジング３に固定するとともに回転軸の外周面に設置する軸受取付部材７とを具備し、軸受取付部材７とハウジング３との間に軸方向の厚さを調整する調整部材１１を装着させる構成とする。調整部材１１をハウジング３と軸受取付部材７との間に挟み込むことにより、軸受取付部材７とハウジング３との間の軸方向の厚さを調整し、軸受２とハウジング３との軸芯を合わせ、ロータ４の回転軸９と軸受２の軸芯を一致させる。【選択図】  図１
2005312106.tif 000002
【特許請求の範囲】
【請求項１】
回転軸を有するロータと、当該ロータの外周を所定距離離れて環状に覆うステータと、当該ステータの少なくとも軸方向端面を保護するハウジングと、前記回転軸を軸支する軸受と、当該軸受を前記ハウジングに固定するとともに前記回転軸の外周面に設置する軸受取付部材とを具備する電動機において、
前記軸受取付部材と前記ハウジングとの間に軸方向の厚さを調整する調整部材を装着させたことを特徴とする電動機。
【請求項２】
前記調整部材は、少なくとも前記軸受取付部材を装着可能な内径の開口を有し、板厚が直線的に変化する複数の環状の厚さ調整板を重合して構成されていることを特徴とする請求項１に記載の電動機。
【請求項３】
前記複数の厚さ調整板は、当該厚さ調整板を軸心回りに重合して相対回転させることにより厚さを調節可能とすることを特徴とする請求項２に記載の電動機。
【請求項４】
前記複数の厚さ調整板は、周上に少なくとも一つの指標を備え、
前記指標により複数の厚さ調整板の周方向の位置合わせを行うことで厚さ調整を行うことを特徴とする請求項３に記載の電動機。
【請求項５】
前記指標は、厚さ調整板の周上に所定間隔のピッチで刻設されることを特徴とする請求項４に記載の電動機。
【請求項６】
前記複数の厚さ調整板は、周上にそれぞれ所定間隔のピッチで穿設された穴を備え、
前記穴に合わせてネジ止めすることにより前記複数の厚さ調整板を重合し固定することを特徴とする請求項３乃至請求項５の何れかに記載の電動機。
【請求項７】
前記厚さ調整板の内形と外形は、それぞれ４角形以上の多角形及び／又は円形のいずれかの組み合わせとしたことを特徴とする請求項２乃至請求項６の何れかの請求項に記載の電動機。
【発明の詳細な説明】
【技術分野】
【０００１】
本発明は、電動機に関し、特に軸芯のずれを補正する機構を有する電動機に関する。
【背景技術】
【０００２】
図１１は一般的な電動機の概略を説明するための図である。図１１に示す電動機１０１は、回転軸１０９を有するロータ１０４と、ロータ１０４の外周を所定距離離れて環状に覆うステータ１０５と、ステータ１０５の少なくとも軸方向端面を保護する前部ハウジング１０３Ａ，後部ハウジング１０３Ｂと、回転軸１０９を軸支する前側軸受１０２Ａ，後側軸受１０２Ｂとを備え、前側軸受１０２Ａ，後側軸受１０２Ｂは前部ハウジング１０３Ａ，後部ハウジング１０３Ｂによって固定され、前部ハウジング１０３Ａと後部ハウジング１０３Ｂはジャケット１０６によって結合されている。回転軸１０９は、前後に設けられた前側軸受１０２Ａ，後側軸受１０２Ｂによって軸支されている。  
この軸受の軸芯は、ロータの回転軸に対して傾くことなく一致している必要がある。一般的な電動機では、精度良く仕上げた各部品を組み上げることによって、回転軸と軸受けの軸心を行っている。
【０００３】
図１１では、前部ハウジング１０３Ａ及び後部ハウジング１０３Ｂと、これらのハウジング１０３間をつなぐジャケット１０６の各部品を精度良く加工して組み上げることによって、軸受の軸芯が回転軸に対して傾かないようにしている。
【０００４】
また、電動機の部品点数を削減するために、前記したジャケットを使用しない構成も知られている。図１２，１３はジャケットを用いない電動機の構成例である。図１２，１３において、電動機１０１は、ステータ１０５の前後を前部ハウジング１０３Ａ及び後部ハウジング１０３Ｂで固定し、前部ハウジング１０３Ａに前側軸受１０２Ａを取り付け、後部ハウジング１０３Ｂには軸受取付部材（ベアリングホルダ）１０７を介して後側軸受１０２Ｂを取り付ける。
【０００５】
この構成では、前後の軸受（１０２Ａ，１０２Ｂ）のハウジング（１０３Ａ，１０３Ｂ）や軸受取付部材（ベアリングホルダ）１０７を一工程で加工することにより前後の軸受（１０２Ａ，１０２Ｂ）の軸芯を合わせ、これによって回転軸と軸受けの軸心を行っている。この加工は一体加工と呼ばれている。
【０００６】
図１４は一体加工を説明するための図である。この一体加工では、電動機の前側の前側軸受１０２Ａと前部ハウジング１０３Ａとの嵌合部、及び電動機の後側の軸受取付部材（ベアリングホルダ）１０７と後部ハウジング１０３Ａとの嵌合部とを、電動機本体の軸方向位置を加工基準（図１４中の破線で示す）として加工を行う。これによって、前側軸受１０２Ａの軸芯と後側軸受１０２Ｂの軸芯とを一致させることができる。
【０００７】
図１５，１６は電動機のステータ部分に傾きがある場合を示している。図１５はハウジングの一体加工時の状態を示している。取り付けを行う電動機のステータ１０５に傾き（図中のα）がある場合には、このステータ１０５の傾きによってステータ１０５に取り付けられる後部ハウジング１０３Ｂも傾いて取り付けられことになる。ここで、この傾いて取り付けられた状態のままで一体加工することにより、後部ハウジング１０３Ｂが傾いて取り付けられていても、前部ハウジング１０３Ａと後部ハウジング１０３Ｂとの軸芯を合わせることができる。
【０００８】
図１６は、一体加工後にロータ及び回転軸を挿入した状態を示している。前記した一体加工により前部ハウジング１０３Ａと後部ハウジング１０３Ｂとの軸芯が一致しているため、後部ハウジング１０３Ｂの傾きにかかわらず、前部ハウジング１０３Ａに取り付けた前側軸受１０２Ａと後部ハウジング１０３Ｂに取り付けた後側軸受１０２Ｂとの軸芯を一致させることができる。
【０００９】
一方、図１７，１８は一体加工を行わない場合の状態を示している。図１７は、後部ハウジング１０３Ｂが後側軸受１０２Ｂと嵌合する部分を加工した後に、この後部ハウジング１０３Ｂをステータ１０５に取り付けた状態を示している。このとき、ステータ１０５に傾き（図中のα）がある場合には、後部ハウジング１０３Ｂは軸芯に対してこの傾きαだけ傾いて取り付けられることになる。
【００１０】
図１８は、傾いて取り付けられた後部ハウジングにロータ及び回転軸を挿入した状態を示している。傾いて取り付けられた後部ハウジング１０３Ｂに対して後側軸受１０２Ｂを取り付けると、後部ハウジング１０３Ｂの傾きによって後側軸受１０２Ｂも傾くことになる（図中のτ）。したがって、一体加工を行わない場合には、ハウジングの傾きは後側軸受の取り付けに影響し、前側軸受と後側軸受の軸芯合わせに影響することになる。
【発明の開示】
【発明が解決しようとする課題】
【００１１】
前記したように、ジャケットを使用しない構成の電動機において、一体加工を行うことによって電動機の前側軸受と後側軸受との軸芯合わせを行うことができるが、大型の電動機に適用する場合には、この一体加工を行う加工機が物理的なサイズの点から対応が困難であるという問題がある。
そこで、本発明は、ジャケットを使用しない構成の電動機において、一体加工を行うことなくロータの回転軸と軸受の軸芯を一致させることを目的とする。
【課題を解決するための手段】
【００１２】
本発明は、軸受の傾きを補正することによって、一体加工を行うことなく、ロータの回転軸と軸受の軸芯を一致させる。  
本発明の電動機は、回転軸を有するロータと、ロータの外周を所定距離離れて環状に覆うステータと、ステータの少なくとも軸方向端面を保護するハウジングと、回転軸を軸支する軸受と、軸受をハウジングに固定するとともに回転軸の外周面に設置する軸受取付部材とを具備する電動機において、軸受取付部材とハウジングとの間に軸方向の厚さを調整する調整部材を装着させる構成とする。
【００１３】
調整部材をハウジングと軸受取付部材との間に挟み込むことにより、軸受取付部材とハウジングとの間の軸方向の厚さを調整し、軸受とハウジングとの軸芯を合わせ、ロータの回転軸と軸受の軸芯を一致させる。
調整部材は、少なくとも軸受取付部材を装着可能な内径の開口を有し、板厚が直線的に変化する複数の環状の厚さ調整板を重合して構成される。調整部材は板厚が直線的に変化した環状の厚さ調整板で構成されているため、これらの厚さ調整板に互いの周方向の角度をずらせることによって、重合した厚さ調整板の周方向の板厚を調整することができる。
【００１４】
この調整部材の厚さ調整板の板厚を、軸受取付部材とハウジングとの間に軸方向の厚さに合わせて調整することによって、軸受取付部材とハウジングとの軸芯を合わせることができる。複数の環状の厚さ調整板は、厚さ調整板を軸心回りに重合して相対回転させることにより厚さを調節可能とすることができる。
【００１５】
複数の厚さ調整板は、周上に指標を備える構成とすることができ、この指標により複数の厚さ調整板の周方向の位置合わせを行うことで厚さ調整を行うことができる。  
指標は、複数の厚さ調整板の周上にそれぞれ所定間隔のピッチで刻設して設けることができる。  
また、複数の厚さ調整板は、周上にそれぞれ所定間隔のピッチで穿設され穴を備えることができる。この穴に合わせてネジ止めすることにより複数の厚さ調整板を重合して固定することができる。  
厚さ調整板の内形と外形は、それぞれ４角形以上の多角形及び／又は円形のいずれかの組み合わせとすることができる。
【発明の効果】
【００１６】
本発明によれば、ジャケットを使用しない構成の電動機において、一体加工を行うことなくロータの回転軸と軸受の軸芯を一致させることができる。
【発明を実施するための最良の形態】
【００１７】
以下、本発明の実施の形態について、図を参照しながら詳細に説明する。
図１，２は本発明の電動機の概略を説明するための図である。図１は各構成部分を組み立てる前の状態を示し、図２は各構成部分を組み立てた後の状態を示している。
図１において、電動機１は、回転軸９を有するロータ４と、ロータ４の外周を所定距離離れて環状に覆うステータ５と、ステータ５の少なくとも軸方向端面を保護するハウジング３と、回転軸９を軸支する軸受２と、軸受２をハウジング３に固定するとともに回転軸９の外周面に設置する軸受取付部材７とを備え、さらに、軸受取付部材７とハウジング３との間に軸方向の厚さを調整する調整部材１１を備える。
【００１８】
ハウジング３は、ステータ５の軸方向の前方端面を保護する前部ハウジング３Ａと、ステータ５の軸方向の後方端面を保護する後部ハウジング３Ｂを備える。また、軸受２は、回転軸９の前方を軸支する前側軸受２Ａと、回転軸９の後方を軸支する後側軸受２Ｂとを備える。
前側軸受２Ａは前部ハウジング３Ａに固定され、後側軸受２Ｂは軸受取付部材７を介して後部ハウジング３Ｂに固定される。軸受取付部材７の後部ハウジング３Ｂへの固定は、ネジ８によって行われる。
【００１９】
この軸受取付部材７の後部ハウジング３Ｂへの取り付けにおいて、軸受取付部材７と後部ハウジング３Ｂとの間には調整部材１１が設けられ、これによって、軸受取付部材７とハウジング３との間の軸方向の厚さを調整する。
調整部材１１は複数の環状の厚さ調整板１１ａ，１１ｂからなり、各前記厚さ調整板１１ａ，１１ｂは、少なくとも軸受取付部材７を装着可能な内径の開口を有し、その板厚は直線的に変化しており、厚さ調整板を構成している。
【００２０】
図３は、調整部材１１を構成する一つの環状の厚さ調整板（１１ａ，１１ｂ）を示している。厚さ調整板（１１ａ，１１ｂ）の内径は軸受取付部材７が装着可能な大きさであり、軸受取付部材７の外径とほぼ同寸あるいは大きな寸法とする。
厚さ調整板（１１ａ，１１ｂ）の板厚は不均一であり、中心を挟んで一方の端部側をｔとし、他方の端部側をｔ＋Δｔとして、この間を厚さ調整板の周に沿って直線的に変化させる。なお、“ｔ”及び“Δｔ”の寸法は、電動機の種類、ステータやハウジングや軸受取付部材の加工精度や取り付け精度等に応じて設定しておくことができる。
【００２１】
この厚さ調整板の構成により、傾いている部材に対してこの厚さ調整板を挟み込んで他方の部材を取り付けることによって、他方の部材は傾くことなく取り付けることができる。ここで、傾きがあるハウジングに対してこの厚さ調整板を挟んで軸受取付部材を取り付けることによってハウジングの傾きを修正し、ハウジングの傾きによって軸受取付部材が傾くことを防ぐことができる。
【００２２】
本発明の調整部材１１は、複数の厚さ調整板（１１ａ，１１ｂ）を重ねて用いることによって、ハウジングの傾きの程度に合わせて修正を行うことができる。
厚さ調整板（１１ａ，１１ｂ）の板厚は前記したように中心を挟んで異なるため、この厚さ調整板を二つの部材間に挟み込み、互いの周方向の角度を変えることにより、二つの部材間が接合する間隔を周方向で変えることができる。この二つの部材間で接合する間隔を周方向で変えることにより、両部材間の相互の傾きを変えることができる。
【００２３】
電動機のステータ５が傾いている場合には、このステータ５に取り付けられたハウジング３も傾くことになる。このハウジングの傾きの程度は電動機によってそれぞれ異なる。そこで、ハウジング３と軸受取付部材７との間に調整部材１１を挟み込み、この調整部材を構成する複数の厚さ調整板（１１ａ，１１ｂ）を互いに周方向に回転させることによって厚さ調整板の相対角度を変え、これにより軸受取付部材に取り付けられた軸受２の傾きを修正する。
【００２４】
このように、単に厚さ調整板を回転させるだけで、ステータ及びハウジングの傾きの程度に応じた修正を行うことができる。
図１，２において、はじめに調整部材１１を用いずに軸受取付部材７によって後側軸受２Ｂを後部ハウジング３Ｂに取り付け、ロータ４を回転させる。前側軸受２Ａと後側軸受２Ｂとの軸芯が一致していない場合には、回転軸９は回転に伴って軸中心が振れる。この振れの程度を求める。
【００２５】
次に、求めた振れの程度に合わせて調整部材１１の厚さ調整を行う。この厚さ調整は、調整部材１１を構成する複数の厚さ調整板（１１ａ，１１ｂ）を互いに周方向に回転させる厚さ調整板の相対角度を変えることで行う。厚さ調整板（１１ａ，１１ｂ）の板厚は、中心を挟んで直線状に変化しているため、複数の厚さ調整板（１１ａ，１１ｂ）を互いに周方向に回転させると、重ね合わせた厚さ調整板の中心を挟む両側の板厚の差が変化する。この板厚の差によって傾きを修正することができる。
【００２６】
ここで、振れの程度と修正に要する板厚の差との関係、板厚の差と複数の厚さ調整板（１１ａ，１１ｂ）の重ね合わせの関係（相互の角度関係）、あるいは、振れの程度と複数の厚さ調整板（１１ａ，１１ｂ）の重ね合わせの関係（相互の角度関係）を予め求めておき、求めた振れの程度から厚さ調整板（１１ａ，１１ｂ）の相互の角度関係を求めて、厚さ調整板（１１ａ，１１ｂ）間のずらしの程度を設定する。
【００２７】
設定した調整部材１１を後部ハウジング３Ｂに取り付ける。これにより、調整部材１１の軸受取付部材７を取り付ける取り付け面の傾きは修正されることになる。この傾きが修正された軸受取付部材７に調整部材１１を取り付けることにより、後側軸受２Ｂと前側軸受２Ａとの軸芯は一致することになる。
【００２８】
図４は、厚さ調整板の厚さ調整を説明するための図である。厚さ調整板１１ａ，１１ｂは、重ね合わせの角度を変えることによって、調整部材１１の厚みの差を変更させることができる。図４は、厚さ調整板１１ａ，１１ｂの重ね合わせのずらしの程度を変えることで厚みの差を変更させる例を示している。なお、図４（ａ）〜（ｄ）では、左方の重ねた厚さ調整板の断面を示し、右方に重ねた厚さ調整板を正面から見た状態において、後方の厚さ調整板をずらして示している。
【００２９】
図４中の黒丸で示す目印１２ａ，１２ｂは厚さ調整板１１ａ，１１ｂの特定の位置を示しており、これを指標として重ね合わせの角度を変えることができる。ここでは、厚さ調整板の最も厚さの薄い部分に目印１２ａ，１２ｂを設けた例を示している。
【００３０】
図４（ａ）は、２枚の厚さ調整板の角度のずらしがない状態を示している。この場合には、厚さ調整板の最も厚さの薄い部分どうし、及び厚さ調整板の最も厚さの厚い部分どうしを重ねる。このとき、調整部材の厚み最小部の厚さＡは２ｔとなり、調整部材の厚み最大部の厚さＢは２ｔ＋２Δｔとなる。これにより、調整部材の厚みの差Ｂ−Ａは、２Δｔとなる。
【００３１】
図４（ｂ），（ｃ）は、２枚の厚さ調整板を角度θだけずらした状態を示している。この場合には、例えば、目印１２ａに対して目印１２ｂを角度θだけずらして重ねる。このとき、調整部材の厚み最小部は、目印１２ａからθ／２の角度位置となり、その厚さＡは２ｔ＋Δｔ（１−cos（θ／２））となる。また、調整部材の厚み最大部は、目印１２ａからθ／２＋１８０°の角度位置となり、その厚さＢは２ｔ＋Δｔ（１＋cos（θ／２））となる。これにより、調整部材の厚みの差Ｂ−Ａは、２Δｔcos（θ／２）となる。
【００３２】
図４（ｄ）は、２枚の厚さ調整板を角度１８０°ずらした状態を示している。この場合には、例えば、目印１２ａに対して目印１２ｂを角度１８０°ずらして重ねる。このとき、調整部材の厚みの差はない。
図５は、この厚さ調整板の厚さ調整におけるずらし角θと厚みとの関係例を示している。
したがって、この目印１２ａ，１２ｂは厚さ調整板のずらしの指標とすることができ、厚さ調整板に刻設したり印刷することで設けることができる。また、上記した各角度位置は、厚さ調整板１１ａ，１１ｂのそれぞれの目印１２ａ，１２を目安として合わせることができる。
【００３３】
図６は、厚さ調整板の例を示す図である。図６に示す例では、調整部材１１の一部に切り欠き部１２ｃを設けると共に、周方向に所定間隔でネジ穴１３を形成している。切り欠き部１２ｃは前記の目印と同様に指標として用いることができる。また、ネジ穴１３は、ハウジングへの取り付けに用いることができる。
厚さ調整板の寸法例としては、例えば、外径が３８０ｍｍ、内径が３２０ｍｍ程度としたとき、最も薄い部分を１ｍｍとし最も厚い部分を１．３ｍｍとする。なお、最も厚い部分は、１．５ｍｍ〜１．１ｍｍの範囲とすることもできる。なお、この数値は一例に過ぎず、本発明の厚さ調整板がこの寸法に限定されるものではない。
【００３４】
図７は、図６に示す厚さ調整板を用いた厚さ調整を説明するための図である。図７においても、前記図４と同様に、厚さ調整板１１ａ，１１ｂは重ね合わせの角度を変えることによって、調整部材１１の厚みの差を変更させることができる。図４は、厚さ調整板１１ａ，１１ｂの重ね合わせのずらしの程度を変えることで厚みの差を変更させる例を示している。なお、図６（ａ）は、厚さ調整板のリング形状を表し、図６（ｂ）〜（ｆ）は各角度位置において重ねた厚さ調整板を正面から見た状態を、後方の厚さ調整板をずらして示している。
ここで、図７中の切り欠き部１２ｃは厚さ調整板１１ａ，１１ｂの特定の位置を示す指標とし、この指標として重ね合わせの角度変更を行う。ここでは、厚さ調整板の最も厚さの薄い部分に切り欠き部１２ｃを設けた例を示している。
【００３５】
図７（ｂ）は、２枚の厚さ調整板の角度のずらしがない状態を示している。この場合には、互いの切り欠き部１２ｃどうしを重ねることで角度合わせを行う。このとき、調整部材の厚み最小部の厚さは２．０ｍｍとなり、調整部材の厚み最大部の厚さは２．６ｍｍとなる。これにより、調整部材の厚みの差は、０．６ｍｍとなる。
図７（ｃ）は、２枚の厚さ調整板の角度のずらし角を６０°とした状態を示している。この場合には、例えば、切り欠き部１２ｃどうしを角度６０°だけずらして重ねる。このとき、調整部材の厚み最小部は、一方の切り欠き部１２ｃから３０°の角度位置となり、その厚さは２．０４ｍｍとなる。また、調整部材の厚み最大部は、一方の切り欠き部１２ｃから２１０°の角度位置となり、その厚さは２．５６ｍｍとなる。これにより、調整部材の厚みの差は、０．５ｍｍとなる。
【００３６】
図７（ｄ）は、２枚の厚さ調整板の角度のずらし角を９０°とした状態を示している。この場合には、例えば、切り欠き部１２ｃどうしを角度９０°だけずらして重ねる。このとき、調整部材の厚み最小部は、一方の切り欠き部１２ｃから４５°の角度位置となり、その厚さは２．１ｍｍとなる。また、調整部材の厚み最大部は、一方の切り欠き部１２ｃから２２５°の角度位置となり、その厚さは２．５ｍｍとなる。これにより、調整部材の厚みの差は、０．４ｍｍとなる。
【００３７】
図７（ｅ）は、２枚の厚さ調整板の角度のずらし角を１４０°とした状態を示している。この場合には、例えば、切り欠き部１２ｃどうしを角度１４０°だけずらして重ねる。このとき、調整部材の厚み最小部は、一方の切り欠き部１２ｃから７０°の角度位置となり、その厚さは２．２ｍｍとなる。また、調整部材の厚み最大部は、一方の切り欠き部１２ｃから２５０°の角度位置となり、その厚さは２．４ｍｍとなる。これにより、調整部材の厚みの差は、０．２ｍｍとなる。
【００３８】
図７（ｆ）は、２枚の厚さ調整板を角度１８０°ずらした状態を示している。この場合には、例えば、互いの切り欠き部１２ｃどうしを角度１８０°ずらして重ねる。このとき、調整部材の厚みの差はない。  
上記例のように、切り欠き部１２ｃは厚さ調整板のずらしの指標とすることができる。
図８は、この厚さ調整板の厚さ調整におけるずらし角θと厚みとの関係例を示している。  
本発明の厚さ調整板の形状は、その外形形状及び開口部について、円形や四角形以上の多角形の組み合わせとすることができる。
【００３９】
図９は、厚さ調整板の形状例である。図９（ａ）は外形形状及び開口部ともに円形する例である。また、図９（ｂ）〜図９（ｆ）は外形形状と開口部との形状を円形と多角形の組み合わせとする例である。図９（ｂ）は外形形状を多角形とし開口部を円形する例であり、図９（ｃ）は外形形状を四角形とし開口部を円形する例であり、図９（ｃ）は外形形状を八角形とし開口部を円形する例であり、図９（ｅ）は外形形状と開口部をそれぞれ多角形とする例であり、図９（ｆ）は外形形状を四角形とし開口部を円形する例であって、四角形の各角の部分に切り欠きを設ける例である。また、図９（ｃ），（ｄ）には、各角部分にネジ穴を設けている。
【００４０】
本発明の厚さ調整板は、図４，７で示したように２枚を一組とする厚さ調整板を重ねて厚さ調整を行う構成に限らず、複数の組みの厚さ調整板を重ねることによって厚さ調整を行うこともできる。
図１０は、２枚の厚さ調整板を複数組み組み合わせる構成例を説明するための図である。図１０では、一方の厚さをｔとし他方の厚さをｔ＋Δｔとする２枚の厚さ調整板１１ｃの組みと、一方の厚さをｕとし他方の厚さをｕ＋Δｕとする２枚の厚さ調整板１１ｄの組みの２組の厚さ調整板を重ね合わせた例を示している。
【００４１】
ここで、組み合わせる厚さ調整板の厚さの変化幅を異ならせることにより、厚さ調整の範囲を変えることができる。例えば、Δｕ＜Δｔとすることにより、厚さ調整板１１ｄによって広い範囲の調整を行い、厚さ調整板１１ｃによって微調整を行うことができ、これらを組み合わせることで、広い範囲の調整と微調整の両調整を行うことができる。
【図面の簡単な説明】
【００４２】
【図１】本発明の電動機の概略を説明するための図である。
【図２】本発明の電動機の概略を説明するための図である。
【図３】本発明の調整部材を構成する環状の厚さ調整板を説明するための図である。
【図４】本発明の厚さ調整板の厚さ調整を説明するための図である。
【図５】本発明の厚さ調整板の厚さ調整におけるずらし角θと厚みとの関係例を示す。
【図６】本発明の厚さ調整板の例を示す図である。
【図７】本発明の厚さ調整板を用いた厚さ調整を説明するための図である。
【図８】本発明の厚さ調整板の厚さ調整におけるずらし角θと厚みとの関係例を示す。
【図９】本発明の厚さ調整板の形状例の図である。
【図１０】本発明の２枚の厚さ調整板を複数組み組み合わせる構成例を説明するための図である。
【図１１】一般的な電動機の概略を説明するための図である。
【図１２】ジャケットを用いない電動機の構成例を説明するための図である。
【図１３】ジャケットを用いない電動機の構成例を説明するための図である。
【図１４】一体加工を説明するための図である。
【図１５】電動機のステータ部分に傾きがある場合を説明するための図である。
【図１６】電動機のステータ部分に傾きがある場合を説明するための図である。
【図１７】一体加工を行わない場合の状態を示す図である。
【図１８】一体加工を行わない場合の状態を示す図である。
【符号の説明】
【００４３】
１  電動機
２  軸受
２Ａ  前側軸受
２Ｂ  後側軸受
３  ハウジング
３Ａ  前部ハウジング
３Ｂ  後部ハウジング
４  ロータ
５  ステータ
７  軸受取付部材
８  ネジ
９  回転軸
１１  調整部材
１１ａ，１１ｂ  厚さ調整板
１２ａ，１２ｂ  目印
１２ｃ  切り欠き部
１０１  電動機
１０２  軸受
１０２Ａ  前側軸受
１０２Ｂ  後側軸受
１０３  ハウジング
１０３Ａ  前部ハウジング
１０３Ｂ  後部ハウジング
１０４  ロータ
１０５  ステータ
１０６  ジャケット
１０７  軸受取付部材（ベアリングホルダ）
１０８  ネジ
１０９  回転軸
【図１】
2005312106.tif 000003
【図２】
2005312106.tif 000004
【図３】
2005312106.tif 000005
【図４】
2005312106.tif 000006
【図５】
2005312106.tif 000007
【図６】
2005312106.tif 000008
【図７】
2005312106.tif 000009
【図８】
2005312106.tif 000010
【図９】
2005312106.tif 000011
【図１０】
2005312106.tif 000012
【図１１】
2005312106.tif 000013
【図１２】
2005312106.tif 000014
【図１３】
2005312106.tif 000015
【図１４】
2005312106.tif 000016
【図１５】
2005312106.tif 000017
【図１６】
2005312106.tif 000018
【図１７】
2005312106.tif 000019
【図１８】
2005312106.tif 000020